(57)【要約】【課題】光源ユニットを器具本体に安定して斜めに取り付けできる照明器具を提供する。【解決手段】照明器具１０００は、器具本体２００に取り付けられるバネ部２３０と、光源ユニット１００に取り付けられてバネ部２３０と連結し、バネ部２３０の弾性力によって器具本体２００の方向に引っ張られる連結具とを備える。光源ユニット１００は、バネ部２３０に引っ張られる場合に、第一の光源蓋部１４０−１、第二の光源蓋部１４０−２が、それぞれ第一の器具蓋部２２０−１の光源受部２２３、第二の器具蓋部２２０−２の光源受部２２３に当接して、バネ部２３０の弾性力に対抗する。【選択図】図１
2019075384.tif 000002
【特許請求の範囲】
【請求項１】
被取付部に固定される底面部と、前記底面部に対向する開口部とが形成された器具本体と、
前記開口部を塞ぐように前記器具本体に取り付けられる光源ユニットと、
前記器具本体に設けられ、前記光源ユニットを前記器具本体に引っ張るバネ部と、
を備え、
前記器具本体は、前記底面部と前記開口部との間で前記バネ部を固定するバネ受部を有する台座と
を備える照明器具。
【請求項２】
前記バネ受部は、前記バネ部が固定される固定面を有し、
前記バネ部は、前記固定面に固定される請求項１に記載の照明器具。
【請求項３】
前記固定面は、前記底面部に対して斜めに形成されている請求項２に記載の照明器具。
【発明の詳細な説明】
【技術分野】
【０００１】
本発明は、照明器具に関する。例えば、長尺状の光源ユニットを長尺状の器具本体に脱着可能に取り付ける照明器具に関する。
【背景技術】
【０００２】
長尺状に形成され光源と電源を備えた光源ユニットと、この光源ユニットが着脱自在に取り付けられる器具本体とを備え、天井などの被取付部に取り付けられる照明器具がある。
この長尺状の光源ユニットは、光源ユニットの長手側方のうち一方に延出するように配設された係止金具と、係止金具が延出する側方とは反対の長手側方に配設され器具本体部に係止し引き上げられる係止ばねとを備えている。光源ユニットは、係止金具と係止ばねにより器具本体部に固定される（例えば、特許文献１参照）。
【先行技術文献】
【特許文献】
【０００３】
【特許文献１】特開２０１４−１７９２０８号公報
【特許文献２】特許第５６１９２２８号公報
【特許文献３】特開２０１２−１８５９８１号公報
【特許文献４】実開平１−１３２００９号公報
【発明の概要】
【発明が解決しようとする課題】
【０００４】
しかしながら、特許文献１に記載の照明器具は、被取付部となる天井に対して垂直方向へ照射する為に天井と平行に光源ユニットを器具本体部に設置する際は、係止金具および係止ばねにそれぞれ均等に負荷がかかる。しかしながら、天井に対して斜め方向へ照射しようとすると係止金具および係止ばねへの負荷が不均等になる不都合がある。
【０００５】
また、特許文献１に記載の照明器具は、設置される環境（壁面に長手方向端部が隣接する）によっては、長手方向端部からの光が壁面などに射するような配光となる。
【０００６】
本発明は、光源ユニットを器具本体に安定して斜めに取り付けできる照明器具を提供することを目的とする。
【課題を解決するための手段】
【０００７】
この発明の照明器具は、
被取付部に固定される底面部と、前記底面部に対向する開口部とが形成された器具本体と、
前記開口部を塞ぐように前記器具本体に取り付けられる光源ユニットと、
前記器具本体に設けられ、前記光源ユニットを前記器具本体に引っ張るバネ部と、
を備え、
前記器具本体は、前記底面部と前記開口部との間で前記バネ部を固定するバネ受部を有する台座と
を備える。
【発明の効果】
【０００８】
本発明は、光源ユニットを器具本体に安定して斜めに取り付けできる照明器具を提供できる。
【図面の簡単な説明】
【０００９】
【図１】実施の形態１の図で、照明器具１０００の分解斜視図。
【図２】実施の形態１の図で、光源ユニット１００の分解斜視図。
【図３】実施の形態１の図で、光源ユニット１００の斜視図。
【図４】実施の形態１の図で、光源蓋部１４０を外した光源ユニット１００の端部を示す斜視図。
【図５】実施の形態１の図で、光源ユニット１００の端部を示す斜視図。
【図６】実施の形態１の図で、連結具１５０の取り付けを示す図。
【図７】実施の形態１の図で、連結具１５０の取り付けを示す斜視図。
【図８】実施の形態１の図で、器具本体２００の斜視図。
【図９】実施の形態１の図で、器具本体２００の底面図（図８のＹ方向矢視図）。
【図１０】実施の形態１の図で、器具本体２００の分解斜視図。
【図１１】実施の形態１の図で、器具本体２００の斜視図。
【図１２】実施の形態１の図で、図１のＡ−Ａ断面図であり、バネ部２３０を省略したＡ−Ａ断面図。
【図１３】実施の形態１の図で、バネ部２３０がバネ台座２４０に取り付けられた状態を示す図。
【図１４】実施の形態１の図で、バネ台座２４０の（ａ）平面図及び（ｂ）側面図。
【図１５】実施の形態１の図で、器具本体２００への光源ユニット１００の取り付けを示す断面図。
【図１６】実施の形態１の図で、図８のＡ−Ａ断面図。
【図１７】実施の形態１の図で、３つの照明器具１０００からなる照明システムを示す斜視図。
【図１８】実施の形態１の図で、第一のエンド蓋部２２０−１、第二のエンド蓋部２２０−２の斜視図。
【図１９】実施の形態１の図で、照明器具の斜視図。
【図２０】実施の形態１の図で、照明器具の側面図。
【発明を実施するための形態】
【００１０】
実施の形態１．
図１〜図２０を用いて本実施の形態における照明器具の構成を説明する。本実施の形態では、本発明に係わる照明器具の一例として天井などの被取付部に取り付けられる、ウォールウォッシャー型の照明器具を説明する。
以下の説明において、便宜上、天井面側（被取付面側）を上面側とし、床面側（被取付面と反対側）を下面側として説明をおこなう。
【００１１】
＊＊＊構成の説明＊＊＊
＜照明器具１０００＞
図１に示すように、照明器具１０００は長尺に形成された光源部１００と、被取付部に設置され光源部１００が取り付けられる器具本体２００とを備えている。
【００１２】
＜光源ユニット１００＞
図２、図３に示すように、光源部１００は、発光素子基板１１０、保持部１２０、カバー部１３０、光源蓋部１４０、連結具１５０、点灯装置１６０を備えている。
（１）発光素子基板１１０は、長尺状の板状をなして一方の面である実装面１１０ａに複数の発光素子１１１が実装される。この実施の形態では発光素子１１１はＬＥＤである。光源ユニット１００は、発光素子基板１１０の基板長手方向１１０ｃに沿った長尺状である。
（２）保持部１２０は、発光素子基板１１０が取り付けられる。
（３）図４に示すように、カバー部１３０は発光素子基板１１０を覆うように保持部１２０に取り付けられる。
（４）図４、図５のように、第一の光源蓋部１４０−１、第二の光源蓋部１４０−２は、カバー部１３０の端部を覆う。
（５）連結具１５０は、バネ部２３０と連結する。
（６）点灯装置１６０は発光素子基板１１０を点灯する。
【００１３】
＜発光素子基板１１０＞
図２に示すように、発光素子基板１１０は照明器具１０００の長手方向の長さと略同等となるような長尺の長さに形成されており、また発光素子１１１は発光素子基板１１０の長尺方向へ並ぶよう配設されている。
【００１４】
＜保持部１２０＞
保持部１２０は、発光素子基板１１０が取り付けられる長尺状の略矩形状をした取付部１２１と、取付部１２１の長手方向のそれぞれの長手から起立する第一の側面部１２２−１、第二の側面部１２２−２を備えている。
【００１５】
＜カバー部１３０＞
図２に示すように、カバー部１３０は長尺状に形成されている。カバー部１３０はポリカーボネートなどの樹脂部材から形成される。図４に示すように、カバー部１３０は、カバー爪部１３１、反射部１３２、水平部１３３、拡散部１３４を備える。
（１）カバー爪部１３１が保持部１２０の第一の側面部１２２−１、第二の側面部１２２−２に係合することで、カバー部１３０が保持部１２０に装着する。
（２）反射部１３２は発光素子基板１１０の長辺を含む発光素子基板１１０の長手方向に沿う両側を覆う。
（３）水平部１３３は反射部１３２から引き続いて形成されている。
（４）拡散部１３４は水平部１３３の端部から、発光素子基板１１０を覆うように略円弧形状に形成されている。
【００１６】
＜光源蓋部１４０＞
図４に示すように、光源蓋部１４０はカバー部１３０と保持部１２０とから構成される端面（端部）に嵌まり込み、この端面を塞いでいる。図１、図２に示すように、光源ユニット１００は、本体部２１０の一方の端部に対応する一方の端部を塞ぐ第一の光源蓋部１４０−１と、本体部２１０の他方の端部に対応する他方の端部を塞ぐ第一の光源蓋部１４０−２を有する。
【００１７】
＜連結具１５０＞
図６、図７に示すように、連結具１５０は略Ｌ字形状をしている。連結具１５０は、保持部１２０の取付部１２１に固定される連結具固定部１５１と、後述する器具本体２００に配置されたバネ部２３０と係合する開口である連結開口部１５３が形成された連結部１５２とを有する。なお、連結具１５０と連結するバネ部２３０は、光源ユニット１００と器具本体２００とのどちらかに取り付けられるが、この実施の形態ではバネ部２３０は器具本体２００（本体部２１０）に取り付けられることとしている。つまりバネ部２３０は光源ユニット１００に取り付けられてもよい。連結具１５０は、光源ユニット１００と器具本体２００（本体部２１０）とのうちバネ部２３０が取り付けられない方に取り付けられてバネ部２３０と連結する。図６に示すように、連結具１５０はこの実施の形態では、保持部１２０の取付部１２１に形成された連結具支持部１２１ａにネジで固定される。連結具１５０は、後述するバネ部２３０の円弧形状部２３１を貫通させる開口である連結開口部１５３が形成され、後述する平坦部２３２の終わり付近の円弧形状部２３１である付近円弧形状部２３１Ａを、無負荷状態に対して変位させた状態で連結開口部１５３の周縁が付近円弧形状部２３１Ａと当接する。
【００１８】
＜点灯装置１６０＞
図３に示す点灯装置１６０は、器具本体２００に配設された端子台２５０を介して商用電源の供給する電力を発光素子基板１１０に供給し、発光素子基板１１０を点灯させる。なお本実施の形態では点灯装置１６０を光源ユニット１００に配置しているが、光源ユニット１００は器具本体２００に配置しても構わない。
【００１９】
＜器具本体２００＞
図８、図９、図１０に示すように、器具本体２００は、本体部２１０、器具蓋部２２０、バネ部２３０、バネ台座２４０、端子台２５０を備えている。
（１）本体部２１０は、長尺状に形成され、光源ユニット１００の一部が挿入される、
（２）器具蓋部２２０は、本体部２１０の一方の端部に取り付けられる第一の器具蓋部２２０−１と、本体部２１０の他方の端部に取り付けられる第二の器具蓋部２２０−２との組からなる。第一の器具蓋部２２０−１、第二の器具蓋部２２０−２は本体部２１０の長手方向の端部を塞ぐよう取り付けられる。
（３）バネ部２３０は本体部２１０に配置され、光源ユニット１００の連結具１５０を引っ張る。
（４）バネ台座２４０はバネ部２３０が本体部２１０に固定される。
（５）端子台２５０は点灯装置１６０と接続して電力を供給する。
【００２０】
器具本体２００は、相手部材である被取付部５００に取り付けられ、光源ユニット１００が取り付けられる基板長手方向１１０ｃ（図２）に沿った長尺状である。器具本体２００は、基板長手方向１１０ｃにわたって被取付部５００に対向する長尺状の板状をなす器具本体対向部２１３−１を有する。本実施の形態では器具本体対向部２１３−１は後述する第三の板形状部２１３である。
【００２１】
＜本体部２１０＞
器具本体２００は本体部２１０を有するが、図１１に示すように、本体部２１０は、長尺状で両端部が開口する中空形状の長手方向に沿う側面部に一方の端部から他方の端部にわたる開口である長手開口部２１９が形成された形状をなす。長手開口部２１９とは図１１のａ，ｂ，ｃ，ｄの矩形で示される開口である。図１、図１２に示すように、長尺状の光源ユニット１００が、長手開口部２１９を塞ぐと共に長手開口部２１９の長手方向に沿う一方の縁部２１１−１（図１１）と長手開口部２１９の長手方向に沿う他方の縁部２１５−１（図１１）とを覆う状態で器具本体２００に取り付けられる。図１１において他方の縁部２１５−１は破線の枠で囲む範囲である。図１１に示す一方の縁部２１１−１は、後述の第一の板形状部２１１において他方の縁部２１５−１と同様の領域である。
【００２２】
図１２に示すように、本体部２１０は、第一の板形状部２１１、第二の板形状部２１２、第三の板形状部２１３、第四の板形状部２１４、第五の板形状部２１５を有する。
（１）第一の板形状部２１１は長尺状なす。
（２）第二の板形状部２１２は、第一の板形状部２１１の長手方向における一方の長辺から起立する。
（３）第三の板形状部２１３は、第二の板形状部２１２の終端から第一の板形状部２１１に対向するように第一の板形状部２１１よりも長く延びる。
（４）第四の板形状部２１４は、第三の板形状部２１３の終端から第二の板形状部２１２に対向するように第二の板形状部２１２よりも長く延びる。
（５）第五の板形状部２１５は、第四の板形状部２１４の終端から延びて第一の板形状部２１１とともに長手開口部２１９を形成する。
（６）図１２のＡ−Ａ断面図は図１に示す長手方向（図２の基板長手方向１１０ｃと同じ方向）を法線とする断面であるが、図１２に示すように、第一の板形状部２１１と第五の板形状部２１５とは、長手方向を法線とする断面において、中空形状の外側に向かって広がる八の字形状をなす。
【００２３】
＜器具蓋部２２０＞
図１０に示すように、器具本体２００は、本体部２１０の開口する一方の端部を塞ぐ第一の器具蓋部２２０−１を有し、また、本体部２１０の開口する他方の端部を塞ぐ第二の器具蓋部２２０−２を有する。図１０に示すように、器具蓋部２２０−１は、本体部２１０の端面を塞ぐ器具蓋本体部２２１と、器具蓋本体部２２１の側辺から略垂直に突設し本体部２１０の内側に挿し込まれる蓋挿込部２２２（器具蓋部２２０−２に示している）と、長手開口部２１９の前面に配設される光源受部２２３を有している。また、器具蓋本体部２２１には他の器具本体２００と連結する為の貫通孔２２１ａ（連結孔）と、他の器具本体２００と連結したときに隣接する他の器具本体２００から電源電線が引き込まれる連結電線孔２２１ｂが形成されている。なお、貫通孔２２１ａと連結電線孔２２１ｂは、ノックアウト式により形成しても良い。
【００２４】
＜バネ部２３０＞
バネ部２３０は、光源ユニット１００と器具本体２００とのどちらかに取り付けられ基板長手方向１１０ｃに沿う長手形状である。この実施の形態ではバネ部２３０は器具本体２００に取り付けられる。バネ部２３０が光源ユニット１００に取り付けられる場合、後述のバネ台座２４０を光源ユニット１００に取り付ける。図１３に示すように、バネ部２３０は、連結具１５０の連結開口部１５３に挿入されて連結開口部１５３と係合する円弧状の円弧形状部２３１と、バネ台座２４０のスリット部２４３に挿し込まれて固定される平坦な平坦部２３２を有する。図１、図１３に示すように、円弧形状部２３１は平坦部２３２の終わりから光源ユニット１００の方に向かって凸となる円弧形状である。図１で光源ユニット１００にバネ部２３０が取り付けられる場合には、円弧形状部２３１は器具本体２００の方に向かって凸となる。なお、図１に示すように、平坦部２３２は基板長手方向１１０ｃに沿う。
【００２５】
＜バネ台座２４０＞
図８に示すように、器具本体２００は、バネ部２３０が固定されるバネ台座２４０を有する。図１４に示すように、バネ台座２４０は、略ハット型あるいは「Π」字形状をしている。バネ台座２４０は、第三の板形状部２１３に固定される脚部２４１と、長手開口部２１９と略平行になるよう斜めに形成されたバネ受部２４２とを有している。また、バネ受部２４２には、バネ部２３０の平坦部２３２が挿し込まれるスリットを形成するスリット部２４３と、平坦部２３２がスリット部２４３に挿し込まれた後にネジなどにより固定するネジ孔２４４が形成されている。またネジ孔２４４はスリット部２４３の左右両方に形成されており、左右どちらからでもスリット部２４３にバネ部２３０を挿し込み、ネジで固定できる。
【００２６】
端子台２５０は、外部から引き込まれた電源電線が接続され、点灯装置１６０に電力を供給するものである。
【００２７】
＊＊＊光源ユニットの取付動作の説明＊＊＊
図１５を参照して作業者による光源ユニット１００の器具本体２００への装着作業を説明する。図１５は、図１２、図１６のＺ方向から見た断面の状態を示している。
図１５において、
（ａ）は、器具本体２００に光源ユニット１００が取り付けられる前の状態を示す。
（ｂ）は、作業者がバネ部２３０を弾性変形させた状態で光源ユニット１００の連結具１５０にバネ部２３０の先端部Ｋを連結した状態を示す。
（ｃ）は、バネ部２３０が連結具１５０の連結開口部１５３に対して摺動する状態を示す。
（ｄ）は、器具本体２００に光源ユニット１００が取り付けられた状態を示す。
【００２８】
（１）図１５（ａ）では、器具本体２００にバネ部２３０が取り付けられており、光源ユニット１００は器具本体２００に取り付けられていない状態である。
（２）図１５（ｂ）では、作業者が、バネ部２３０の先端部Ｋを、連結具１５０の連結開口部１５３の開口の縁部に引っ掛けて、光源ユニット１００を器具本体２００に吊り下げた状態を示す。バネ部２３０は図１２のように、２個のバネ部２３０が、器具本体２００の両端に配置されており、反対側のもう一つのバネ部２３０も同様に操作し、光源ユニット１００を器具本体２００に装着できる。
（３）図１５（ｃ）では、作業者が光源ユニット１００を上方（被取付部５００の方向）に持ち上げると、バネ部２３０の円弧形状部２３１の裏面が、連結開口部１５３の開口の縁に対して、バネの復元力（弾性力）により摺動する。
（４）図１５（ｄ）では、作業者が、器具本体２００に光源ユニット１００を差し込むことで、光源ユニット１００の器具本体２００への装着が完了する。
【００２９】
図１５（ｄ）の状態では、光源ユニット１００の連結具１５０は、器具本体２００のバネ部２３０の弾性力によって引っ張られる。光源ユニット１００は、連結具１５０がバネ部２３０に引っ張られる場合に、一方の縁部２１１−１及び他方の縁部２１５−１（図１２）とは異なる器具本体２００の箇所に当接して、バネ部２３０の弾性力に対抗する光源側当接部１７０を有するが、この実施の形態では、光源側当接部１７０は、第一の光源蓋部１４０−１である。第一の光源蓋部１４０−１が当接する器具本体２００の箇所は、第一の器具蓋部２２０−１である。また光源側当接部１７０は、第二の光源蓋部１４０−２でもある。第二の光源蓋部１４０−２が当接する器具本体２００の箇所は、第二の器具蓋部２２０−２である。図５に示すように、第二の光源蓋部１４０−２が第二の器具蓋部２２０−２に当接してバネ部２３０の弾性力に対抗する場合は、第二の光源蓋部１４０−２の上面側の光源蓋上面部１４０−２ａが第二の器具蓋部２２０−２の光源受部２２３に当接する。同様に、第一の光源蓋部１４０−１が第一の器具蓋部２２０−１に当接してバネ部２３０の弾性力に対抗する場合は、第一の光源蓋部１４０−１の上面側の光源蓋上面部１４０−１ａ（図示していない）が第一の器具蓋部２２０−１の光源受部２２３に当接する。
【００３０】
また、図１５（ｄ）の状態において、光源側当接部１７０は連結具１５０であり、連結具１５０が当接する器具本体２００の箇所は、バネ台座２４０であってもよい。この場合、連結具１５０における連結部１５２の先端１５２ａ（図７）が、バネ台座２４０におけるバネ受部２４２の当接領域２４２ａ（図１３）に当接する。
【００３１】
図１５（ｄ）は光源ユニット１００の器具本体２００への装着が完了した状態である。この完了状態では、図１２及び図４からわかるように、発光素子基板１１０は、実装面１１０ａの反対側の面となる基板裏面１１０ｂが器具本体対向部２１３−１（第三の板形状部２１３）に向くと共に、基板長手方向１１０ｃに沿う一方の長辺１１０−１（図４）が基板長手方向１１０ｃに沿う他方の長辺１１０−２（図４）よりも器具本体対向部２１３−１の近くに配置される。このように配置されることより基板裏面１１０ｂが器具本体対向部２１３−１に対し基板長手方向１１０ｃにわたって斜めになるように配置される。バネ部２３０は、連結具１５０の連結開口部１５３と当接状態にある付近円弧形状部２３１Ａの基板長手方向１１０ｃを法線とする断面が、発光素子基板１１０の基板短手方向１１０ｄを横方向とする横長の矩形をなす。つまり、図１２ではバネ部２３０は省略しているが、図１２における付近円弧形状部２３１Ａの断面は、連結開口部１５３と同様の傾きを持ち、Ｚ方向に横長となる矩形である。
【００３２】
（光源ユニット１００の取り外し作業）
なお、光源ユニット１００を器具本体２００から取り外すには装着時と逆の手順によればよい。
【００３３】
＜照明器具のエンド蓋部、および照明器具の連結＞
図１に示すように、器具本体２００は光源ユニット１００が取り付けられる長尺状である。器具本体２００は、長手方向における一方の器具本体端部に光源ユニット１００の長手方向における一方の光源ユニット端部が位置し、長手方向における他方の器具本体端部に光源ユニット１００の長手方向における他方の光源ユニット端部が位置するように光源ユニット１００が取り付けられる。図１７に示すように、照明器具１０００は、一方の器具本体端部に取り付けられて一方の光源ユニット端部と、一方の器具本体端部とを覆う第一のエンド蓋部３００−１を備えている。図１７は照明器具を長手方向に３連に接続した場合を示している。照明器具は１台でもよいし、長手方向に２連でもよいし、長手方向に４連以上接続してもよい。照明器具を長手方向に２連以上接続する場合、照明システムと呼ぶこととする。照明器具は１台の場合、一方の端部のみにエンド蓋部３００を装着してもよいし両方の端部にエンド蓋部３００を装着してもよい。照明システムの場合、一方の端の照明器具の端部にのみエンド蓋部３００を装着してもよいし両はじの照明器具の各端部にエンド蓋部３００−１、３００−２を装着しても良い。
【００３４】
図１７、図１８に示すように、第一のエンド蓋部３００−１は、一方の光源ユニット端部と、一方の器具本体端部とを覆うエンド蓋本体部３１０と、エンド蓋本体部３１０から突き出したエンド蓋突出し部３３０と、エンド蓋本体部３１０の被取付部側の側辺に形成され被取付部と第三の板形状部２１３との間の隙間Ｂ（図１２）に挿し込まれるエンド蓋挿込部３２０を有する。器具本体２００は、第一のエンド蓋部３００−１が取り付けられる第一の器具蓋部２２０−１を有する。第一の器具蓋部２２０−１は器具本体２００の一方の端部に取り付けられエンド蓋突出し部３３０が挿し込まれる貫通孔２２１ａが形成されている。
【００３５】
器具本体２００へのエンド蓋部３００の取付方法は、器具本体２００の貫通孔２２１ａにエンド蓋突出し部３３０を挿し込む。このとき、エンド蓋挿込部３２０が隙間Ｂ（図１２）に挿し込まれることでエンド蓋部３００の回転を防止する。また、貫通孔２２１ａに挿し込まれたエンド蓋突出し部３３０（雄ネジが形成）に凸受部３３１（ナット）を締め込むことで、エンド蓋部３００は器具本体２００に固定される。照明器具１０００は、以上のような工程で簡単にエンド蓋部３００を装着できるとともに、エンド蓋部３００により光源ユニット１００長手方向端部からの照射を制御できる。
【００３６】
前述のように照明器具１０００あるいは照明システムは、第二のエンド蓋部３００−２を備えてもよいが、第二のエンド蓋部３００−２は第一のエンド蓋部３００−１同様であるので説明は省略する。
【００３７】
また、複数台の照明器具１０００を連結させる際には、隣接する照明器具どうしを互いに貫通孔２２１ａが連通するように配置したのちに、ボルトおよびナットにより締め込むことで、照明器具１０００どうしは連結される。また、連結電線孔２２１ｂを介して電源電線のわたり作業が行われる。
【００３８】
照明器具１０００の連結を図１７を参照して説明する。照明システム１０００Ａは少なくも第一の照明器具１０００−１と第二の照明器具１０００−２と備えている。第一の照明器具１０００−１は、長尺状の光源ユニット１００と、器具本体２００と、第一のエンド蓋３００−１とを備えている。
器具本体２００は、光源ユニット１００が取り付けられる長尺状である。器具本体２００は、長手方向における一方の器具本体端部に光源ユニット１００の長手方向における一方の光源ユニット端部が位置し、長手方向における他方の器具本体端部に光源ユニット１００の長手方向における他方の光源ユニット端部が位置するように光源ユニット１００が取り付けられる。器具本体２００は、貫通孔２２１ａが形成されて一方の器具本体端部に取り付けられる第一の器具蓋部２２０−１と、貫通孔２２１ａが形成されて他方の器具本体端部に取り付けられる第二の器具蓋部２２０−２とを有する。
第一のエンド蓋３００−１は、一方の器具本体端部に取り付けられて一方の光源ユニット端部と、一方の器具本体端部とを覆う。
第二の照明器具１０００−２は、長尺状の光源ユニット１００と、器具本体２００とを備えている。
器具本体２００は、光源ユニット１００が取り付けられる長尺状である。器具本体２００は、長手方向における一方の器具本体端部に光源ユニット１００の長手方向における一方の光源ユニット端部が位置し、長手方向における他方の器具本体端部に光源ユニット１００の長手方向における他方の光源ユニット端部が位置するように光源ユニット１００が取り付けられる。器具本体２００は、貫通孔２２１ａが形成されて一方の器具本体端部に取り付けられる第一の器具蓋部２２０−１を有する。
【００３９】
第一の照明器具１０００−１と、第二の照明器具１０００−２とは、長手方向に連続して配置される。第一の照明器具１０００−１の第二の器具蓋部２２０−２の貫通孔２２１ａと、第二の照明器具１０００−２の第一の器具蓋部２２０−１の貫通孔２２１ａとが連通するように配置される。そして、ボルト等の締結具が第一の器具蓋部２２０−１の貫通孔２２１ａと第二の器具蓋部２２０−２の貫通孔２２１ａとに挿し込まれて第一の器具蓋部２２０−１と第二の器具蓋部２２０−２とがボルト及びナットにより締結される。これにより、第一と第二の照明器具との間には境目がなく、光の連続性を演出できるとともに、連続的に配置された両端にはエンド蓋を取り付けたので端部側から直接光源が見えることなく遮光することができる。
【００４０】
図１９、図２０は図１等に示したウォールウォッシャー型の照明器具とは異なるタイプの照明器具である。エンド蓋部による長手方向端部の照射制御、及び器具蓋部２２０を用いた照明器具どうしの連結はウォールウォッシャー型に限らず、他のタイプの照明器具に適用可能である。例えば図１９、図２０に示すような笠付トラス型照明器具、トラス型照明器具などにも適用展開できる。図２０には銀杏型、あるいは扇形の形状をなすエンド蓋部を破線で示した。
【００４１】
＊＊＊効果の説明＊＊＊
（１）照明器具１０００では、光源ユニット１００は、連結具１５０がバネ部２３０に引っ張られる場合に、一方の縁部２１１−１及び他方の縁部２１５−１とは異なる器具本体２００の箇所に当接して、バネ部２３０の弾性力に対抗する光源側当接部１７０を有す。よって、光源側当接部１７０によってバネ部２３０の弾性力に確実に対向できるので、光源ユニットを安定して斜めに取り付けできる照明器具を提供できる。また、光源側当接部１７０は一方の縁部２１１−１及び他方の縁部２１５−１とは異なる器具本体２００の箇所に当接するので、本体部２１０に光源側当接部１７０と当接する箇所を設ける必要がなくなる。よって、本体部２１０を一枚の板金から少ない工程の曲げ加工で製造できる。
（２）照明器具１０００では、第四の板形状部２１４を折り曲げ線２１４ａで折り曲げて、上側第四の板形状部２１４−１と、下側第四の板形状部２１４−２とに分けているので、第四の板形状部２１４と第五の板形状部２１５との折り曲げ角度φを折り曲げ加工に適した角度にすることができる。
（３）照明器具１０００では、バネ部２３０は、連結具１５０の連結開口部１５３と当接状態にある付近円弧形状部２３１Ａの基板長手方向１１０ｃを法線とする断面が、発光素子基板１１０の基板短手方向１１０ｄを横方向とする横長の矩形をなす。したがって、図１２のように器具本体２００に対して光源ユニット１００を斜めに装着した場合でもバネ部２３０の剛性が維持できるので、確実に光源ユニット１００を器具本体２００に装着できる。
（４）照明器具１０００あるいは照明システム１０００Ａではエンド蓋部を用いるので、長手方向における端部の照射光を制御することができる。
（５）照明システム１０００Ａでは器具蓋部２２０を用いて照明器具どうしを連結するので、簡易な構成でしっかりと照明器具どうしを連結できる。
（６）第四の板形状部２１４は、２辺により構成されており、被取付部５００に近い上側第四の板形状部２１４−１と、被取付部５００に遠く、第五の板形状部２１５に隣接する下側第四の板形状部２１４−２とに分かれる。図１２、図１１に示すように、第四の板形状部２１４は、長手方向に沿う折り曲げ線２１４ａで折り曲げられて中空形状の外側に凸となるが、折り曲げられた上側が上側第四の板形状部２１４−１であり下側が下側第四の板形状部２１４−２である。
（イ）遮光角θを確保したいとする。遮光角θとは図１２に示すように、人が照明器具１０００を見上げた際に光源ユニット１００が遮られる角度θである。図１２では直線Ｌ２が水平線を表し、直線Ｌ１が遮光角θを表している。
（ロ）図１２の場合、遮光角θに加え、作業者がカバー部１３０をつかむ際のつかみ易さのため、空間Ｓを設けたい。第五の板形状部２１５の交点Ａは直線Ｌ１上、あるいは直線Ｌ１よりも下側になければ遮光角θを満足できない。
（ハ）また、照明器具１０００のサイズのコンパクト化の要請から、さらに、照明器具の高さＨを要求されているとする。これら遮光角θ、空間Ｓ、高さＨを満たすには、第四の板形状部２１４を、Ｐ点と交点Ａとを結ぶ平坦な形状とすればよい。この形状により、遮光角θを満たし、空間Ｓを確保し、寸法Ｈを満たすことができる。
（二）さらに、第四の板形状部２１４を折り曲げ線２１４ａで折り曲げて上側第四の板形状部２１４−１と下側第四の板形状部２１４−２に分けることで、第五の板形状部２１５と下側第四の板形状部２１４−２との折り曲げの角度φを緩やかにできる。
【００４２】
エンド蓋部３００は、金属材料による成形でも良く、樹脂部材のようなものでも良い。また、樹脂材料で形成した際にはエンドグ蓋凸部が貫通孔２２１ａに嵌め込まれるようなものでも良い。
【符号の説明】
【００４３】
１００  光源ユニット、１１０  発光素子基板、１１０−１  一方の長辺、１１０−２  他方の長辺、１１０ａ  実装面、１１０ｂ  基板裏面、１１０ｃ  基板長手方向、１１０ｄ  基板短手方向、１１１  発光素子、１２０  保持部、１２１  取付部、１２１ａ  連結具支持部、１２２−１  第一の側面部、１２２−２  第二の側面部、１３０  カバー部、１３１  カバー爪部、１３２  反射部、１３３  水平部、１３４  拡散部、１３４ａ
先端、１４０−１  第一の光源蓋部、１４０−２  第二の光源蓋部、１４０−２ａ  光源蓋上面部、１５０  連結具、１５１  連結具固定部、１５２  連結部、１５２ａ  先端、１５３  連結開口部、１６０  点灯装置、１７０  光源側当接部、２００  器具本体、２１０  本体部、２１１  第一の板形状部、２１１−１  一方の縁部、２１３ａ  固定孔、２１３ｂ  電源孔、２１３ｃ  取付凸部、２１２  第二の板形状部、２１３  第三の板形状部、２１３−１  器具本体対向部、２１４  第四の板形状部、２１４ａ  折り曲げ線、２１４−１  上側第四の板形状部、２１４−２  下側第四の板形状部、２１５  第五の板形状部、２１５−１  他方の縁部、２１９  長手開口部、２２０−１  第一の器具蓋部、２２０−２  第二の器具蓋部、２２１  器具蓋本体部、２２１ａ  貫通孔、２２１ｂ  連結電線孔、２２２  蓋挿込部、２２３  光源受部、２３０  バネ部、２３１  円弧形状部、２３１Ａ  付近円弧形状部、２３２  平坦部、２４０  バネ台座、２４１  脚部、２４２  バネ受部、２４２ａ  当接領域、２４３  スリット部、２４４  ネジ孔、２５０  端子台、３００−１  第一のエンド蓋部、３００−２  第二のエンド蓋部、３１０  エンド蓋本体部、３２０  エンド蓋挿込部、３３０  エンド蓋突出し部、３３１  凸受部、５００  被取付部、１０００  照明器具、１０００Ａ  照明システム、１０００−１  第一の照明器具、１０００−２  第二の照明器具。
【図１】
2019075384.tif 000003
【図２】
2019075384.tif 000004
【図３】
2019075384.tif 000005
【図４】
2019075384.tif 000006
【図５】
2019075384.tif 000007
【図６】
2019075384.tif 000008
【図７】
2019075384.tif 000009
【図８】
2019075384.tif 000010
【図９】
2019075384.tif 000011
【図１０】
2019075384.tif 000012
【図１１】
2019075384.tif 000013
【図１２】
2019075384.tif 000014
【図１３】
2019075384.tif 000015
【図１４】
2019075384.tif 000016
【図１５】
2019075384.tif 000017
【図１６】
2019075384.tif 000018
【図１７】
2019075384.tif 000019
【図１８】
2019075384.tif 000020
【図１９】
2019075384.tif 000021
【図２０】
2019075384.tif 000022